(57)【要約】【課題】  本発明は、料理時に使用する計量カップは、主に比較的多量に使う小麦粉，砂糖，油，水などの分量を計るときに使用するものであるが、料理をする者は、料理本において使用する計量カップの使い方の記載を見ながら使用することになる。しかし、実際に料理をする者の立場に立って、迅速かつ確実に計量することができる計量カップは従来存しなかったことに鑑み、その欠点を一掃した利便性のよいものを提供することを目的とする。【解決手段】  全体が透明に成る器体１の内周壁面に所定間隔をおいて感触角線２・・・を設け、この感触角線に沿って器体の外周壁面に所定の各数字目盛を相対位置にそれぞれ設け、この相対する数字目盛部の器体上方周縁部に注出口３，３を設け、この注出口間の一側面部に下方開放に成る柄部４を設けて成るものである。【選択図】    図３
2012078116.tif 000002
【特許請求の範囲】
【請求項１】
全体が透明に成る器体の内周壁面に所定間隔をおいて感触角線を設け、この感触角線に沿って器体の外周壁面に所定の各数字目盛を相対位置にそれぞれ設け、この相対する数字目盛部の器体上方周縁部に注出口を設け、この注出口間の一側面部に下方開放に成る柄部を設けて成ることを特徴とする計量カップ。
【発明の詳細な説明】
【技術分野】
【０００１】
本発明は、計量カップに関するものである。
【背景技術】
【０００２】
料理時に使用する計量カップは、主に比較的多量に使う小麦粉，砂糖，油，水などの分量を計るときに使用する。即ち、料理本においては、例えば、ホットケーキを作るときには、「薄力粉カップ２」・「砂糖カップ２／３」・「シロップ三温糖カップ１」・「水カップ１／２」のように記載されているから、料理をする者はこの記載を見ながら計量カップを使用することになる。
【０００３】
しかし、従来の計量カップにあっては、実際の料理を作る者の立場に立って、迅速かつ確実に計量することができるものではなく、次に例示するものであっても使用上きわめて不便なものであった。
【先行技術文献】
【特許文献】
【０００４】
【特許文献１】実用新案登録第２５３２９３１号公報
【特許文献２】意匠登録第２８０４２９号公報
【特許文献３】特許第４３４４１４８号公報
【０００５】
このうち、特許文献１の考案は、カップ本体の周面に、所定巾を有しかつ半透明な計量用目盛巾を複数層設けるとともにカップ本体の底面部に設けた円筒状底部の外周に蓋体を係合して成るものであるため、半透明な目盛層はカップの内壁側に、無数の微細なドット面を形成することによって長期間の使用のうちには汚損が目立つことになるものであるから、本発明とは全く関係のないものであり、特許文献２の意匠は、金属製器体の外周面に内周面に向けて目盛間隔を線状に凸設したものであるため、収容する液体の分量を外側方向から正確に視認識別することができず、料理用の計量カップとしては実用性に欠けていたし、特許文献３は陶磁製食器であり、外部から透視することができない計量カップである。
【発明の概要】
【発明が解決しようとする課題】
【０００６】
そこで、本発明は、従来の計量カップの欠点を一掃した利便性のよいカップを提供することを目的とするものである。
【課題を解決するための手段】
【０００７】
本発明は、全体が透明に成る器体の内周壁面に所定間隔をおいて感触角線を設け、この感触角線に沿って器体の外周壁面に所定の各数字目盛を相対位置にそれぞれ設け、この相対する数字目盛部の器体上方周縁部に注出口を設け、この注出口間の一側面部に下方開放に成る柄部を設けて成るものである。
【発明の効果】
【０００８】
人は、料理本などを見ながら種々の料理をする際に、本計量カップを使用するときは、所定の厚みを有する器体全体が透明性になるから、その内周壁面に表示されている目盛角線と外周壁面に表示されている数字目盛を、どの方向位置から見ても正確に確認することができるようになる。
【０００９】
各目盛線は内周壁面における角線に成るから、離れていても光反射によって確実に識別して計量することができ、料理を円滑かつ確実に行うことができるようになる。
【００１０】
目盛線となる感触角線部分は、洗浄時に抵抗が全くなく、衛生面に不安はなく、長期間にわたり清潔状態下で正確な計量を行うことができるものである。
【００１１】
器体の内側方向からも外側方向からも、内部の液体面や粉末の表面を確実に視認することができるから、計測を容易かつ迅速に行うことができる。
【００１２】
角線は単純な線ではないから、長期間使用しても摩耗するようなことはなく、ステンレス等の金属製品などと違い長期間の使用中に形状が歪むようなおそれはない。
【００１３】
熱湯であっても、器体は金属製器体のような加熱化は起こらないから、把柄部が熱くなって計量が困難になるようなことはない。
【００１４】
利き手の左右にかかわらず、どちらの手で把持しても、器体上の数値の読み取りは容易であり、間違えることはない。
【図面の簡単な説明】
【００１５】
【図１】全体の斜視図
【図２】全体の平面図
【図３】図２Ａ−Ａ線の断面図
【発明を実施するための形態】
【００１６】
いま本計量カップを用い、料理本などを見て何かの料理を作ろうとするとき、人は、透明な本器体の内周壁面に見える上下複数の角線とこれに沿って外周壁面に表示されている数字目盛を見て、各種の粉末又は液体を１カップ（２００ｍｌ）入れたり、砂糖を１／４カップ（５０ｍｌ）入れたり、水を１／２カップ（１００ｍｌ）入れたりする。
【００１７】
この作業は、片手で下方開放の柄部を把持し、片手で前記各食材を、器体周面のどの方向からでも見える角線とこれを補助する数字目盛を見て器体内に収容して計量した後、これを所定の鍋器などに入れる。
【００１８】
図面の実施例にあっては、１個の器体の容量が最大２００ｍｌの場合を示しているが、複数の角線によって１８０，１５０，１００，５０の各ｍｌの容量を計量することができるから、容量の異なる大中小の器体を用意しておくのと同様の計量をすることができる。
【実施例】
【００１９】
１は全体が所定の厚さと透明性に成るポリカーボネート樹脂製の器体で、これは＋１３０℃及び−２０℃まで耐え得る器体である。
【００２０】
この器体の容量は、図面に示す実施例では２００ｍｌのものでかつ所定の厚みを有するものである。
【００２１】
この器体１は、計量する液体を温める必要があるときは、そのまま電子レンジに収容して使用することができる。
【００２２】
また、食洗機を利用できるから、レストラン，給食の現場でも使用することができる。
【００２３】
２・・・は前記器体１の内周壁面に所定間隔をおいて形成している角線を示し、この角線は内周壁面においては指触りによる確実な感触のある感触線であるが、器体の外周壁面からは感触がなく内部を透視できるだけである。（以下，感触角線という。）
【００２４】
図３は、図２に示した本器体の平面図から見たＡ−Ａ線断面図であるが、この断面図において感触角線２・・・は、理解を得るためにやや誇張して表現している。
【００２５】
実施例では、この感触角線２・・・に沿って、外周壁面に上から１８０，１５０，１００，５０の数字（ｍｌ）目盛を表示しているが、この数字目盛は器体周面部の相対位置に表示する。
【００２６】
３，３は前記感触角線２・・・上の数字目盛部の相対位置の器体周縁部に設けた注出口で、器体内部に計量収容した液体等を注出する。
【００２７】
４は前記注出口３，３間の器体１の一側面部に設けた下方開放に成る柄部で、使用時に下方から指先を挿入して把持する。
【符号の説明】
【００２８】
１                    器体
２・・・              感触角線
３，３                注出口
４                    柄部
【図１】
2012078116.tif 000003
【図２】
2012078116.tif 000004
【図３】
2012078116.tif 000005